(57)【要約】【課題】調理時に発生する油煙を含むレンジフード内に能動消音装置を設置しても、メンテを容易にする構成とすることで消音効果の劣化を抑え、かつ気流による消音効果の低下を抑制することを目的とする。【解決手段】マイクロホン９とスピーカ１０をマイクロホン側空間１９とスピーカ側空間２１に収め、フード下面に光源１３を光源収納空間１４に収めた構成であって、各側空間の側空間カバーの近傍に連通口を有し、光源収納空間１４とを連通するマイクロホン連通路１６とスピーカ連通路１８を備えて加熱手段とした。【選択図】図１
2014102060.tif 000002
【特許請求の範囲】
【請求項１】
加熱調理器の上方に設置され、
屋外に連通した吐出口と、調理時に発生する油煙を含んだ空気を吸い込む吸込口とを有するフードと、
前記フード内の前記吐出口と前記吸込口とを結ぶ風路内の空気を屋外に排気する換気用ファンとモータと、
マイクロホンとスピーカを備える能動消音装置を備えたレンジフードにおいて、
前記マイクロホンと前記スピーカのいずれか、もしくは両方を設置するための前記風路に接続された側空間を少なくとも一つ設け、
前記側空間には前記側空間と前記風路とを仕切るための複数の細孔を有する側空間カバーを備え、前記側空間カバーを温める加熱手段を設けたことを特徴とするレンジフード。
【請求項２】
加熱調理器を照らすための照明部をフード下面に備え、前記照明部は光源を光源収納空間に収めた構成であって、側空間と前記光源収納空間に連通口をそれぞれ設け、前記側空間と前記光源収納空間のそれぞれの連通口を接続する連通路を備え、前記照明部および前記光源収納空間および前記連通路を側空間カバーを温める加熱手段としたことを特徴とする請求項１に記載のレンジフード。
【請求項３】
加熱調理器を照らすための照明部をフード下面に備え、前記照明部は光源を光源収納空間に収めた構成であって、通風路壁面の側空間カバー近傍と前記光源収納空間とに連通口をそれぞれ設け、前記側空間カバー近傍と前記光源収納空間のそれぞれの連通口を接続する連通路を備え、前記照明部および前記光源収納空間および前記連通路を前記側空間カバーを温める加熱手段としたことを特徴とする請求項１に記載のレンジフード。
【請求項４】
連通路が光源収納部を始点として側空間の連通口までの全域で水平もしくは上り勾配であることを特徴とした請求項２に記載のレンジフード。
【請求項５】
連通路を光源収納部を始点として側空間カバー近傍の連通口近傍までの領域で水平もしくは上り勾配とし、連通口近傍を下り勾配とすることを特徴とした請求項３に記載のレンジフード。
【請求項６】
使用者がレンジフードの排気運転停止操作を行った後、自動的に側空間カバーの周辺を加熱している状態とし、一定時間経過後に自動的に加熱を停止する自動停止方式を備えた請求項１から５のいずれかに記載のレンジフード。
【発明の詳細な説明】
【技術分野】
【０００１】
本発明は、レンジフードの風路に付設してレンジフード運転時に発生する騒音を消音するための能動消音装置を備えたレンジフードに関するものである。
【背景技術】
【０００２】
近年、台所に設置されるレンジフードは運転時に発生する騒音を低下することが求められている。このような課題を解決する手段の一つとして、レンジフード内に能動消音装置を搭載するという方法が挙げられる。
【０００３】
従来、通風路用の能動型消音装置として、スピーカやマイクロホンと通風路の間に通音性がある板材を設置するものが知られている（例えば特許文献１参照）。
【０００４】
以下、その能動型消音装置について図６を参照しながら説明する。
【０００５】
図６に示すように、ダクト２０１の上面にスピーカボックス２０２が板材２０３を介して載置され螺子２０４止めされている。スピーカボックス２０２は、内側にスピーカ２０５を備え、外側にマイクロホン２０６を保持している。スピーカ２０５とマイクロホン２０６は板材２０３を介してダクト２０１と連通している。
【０００６】
板材は通音性、断熱性、気密性に優れた材料、例えばこれら３つの性質を備えた連続気泡の軟質ウレタンフォーム、或いは、通音性、気密性効果のあるフィルムと通音性、断熱性効果のあるグラスウール又はフェルトを重ね合わせた材料から成る。スピーカ２０５とマイクロホン２０６は信号処理制御部（図示せず）と電気的に接続されている。
【０００７】
ダクトの上流（図６の左側）からの騒音が伝播する際、板材２０３を介してマイクロホン２０６にて検出され、電気信号に変換され信号処理制御部にて所定の信号処理をされてスピーカ２０５に供給され、消音音波に変換される。この消音音波は板材２０３を介してダクト２０１内に放出され、騒音と干渉し、消音するように作用する。
【０００８】
スピーカ２０５やマイクロホン２０６が通風路であるダクト２０１に面して設置されているため、通風路であるダクト２０１を伝播する騒音に対して高い消音効果を期待でき、また板材２０３を介しているため、ダクト２０１内部の熱や塵埃や湿気などからマイクロホン２０６やスピーカ２０５を保護でき、消音効果の劣化を抑制することが期待できる。
【先行技術文献】
【特許文献】
【０００９】
【特許文献１】特開平７−７２８７３号公報
【発明の概要】
【発明が解決しようとする課題】
【００１０】
しかしながら上記特許文献１に記載の能動型消音装置では、レンジフードのように油煙を含んだ気流がダクト２０１を通風する場合、高い粘性のある油分が、板材２０３の通音性の確保に必要な板材２０３の微細な隙間（たとえば軟質ウレタンフォームの連続発泡部やグラスウールの繊維の間）に入り込むため、長期使用時に板材２０３の通音性が損なわれ、消音効果が低下するという課題がある。
【００１１】
また板材２０３の微細な隙間に入り込んだ油分は、板材２０３をダクト２０１に取り付けた状態での拭き取りなどの簡素なメンテナンス作業では除去できず、あるいは板材２０３を取り外して拭き取りをしても油分を更に板材２０３に押し込んでしまうため、通音性を回復することは困難であり、能動型消音装置の消音効果の低下を抑制するためには、板材２０３を取り外して洗浄する、あるいは板材２０３を交換するなど、複雑なメンテナンス作業を必要とするという課題がある。
【００１２】
そこで本発明は、上記課題を解決するものであり、油煙が通過する通風路に対して高い消音効果がある能動型消音装置を備え、マイクロホンとスピーカ周辺のメンテナンス作業を低減するとともに能動型消音装置の消音効果の低下を抑制できるレンジフードを提供することを目的とする。
【課題を解決するための手段】
【００１３】
そして、本発明は上記目的を達成するために、加熱調理器の上方に設置され、屋外に連通した吐出口と、調理時に発生する油煙を含んだ空気を吸い込む吸込口とを有するフードと、前記フード内に前記吐出口と前記吸込口とを結ぶ風路内の空気を屋外に排気する換気用ファンとモータと、マイクロホンとスピーカから構成される能動消音装置を備えたレンジフードにおいて、マイクロホンとスピーカのいずれか、もしくは両方を設置するための風路に接続された側空間を少なくとも一つ設け、側空間には側空間と風路とを仕切るための複数の細孔を有する側空間カバーを備え、側空間カバーを温める加熱手段を設けたものであり、これによって所期の目的を達成するものである。
【発明の効果】
【００１４】
本発明によれば、調理時に発生する高温高湿の油煙を含むレンジフード内に能動消音装置を設置しても、マイクロホンとスピーカのメンテナンス作業を低減する構成とすることで消音効果の低下を抑え、かつ気流による消音効果の低下も抑制することができる。
【図面の簡単な説明】
【００１５】
【図１】本発明の実施の形態１のレンジフードの側断面を示す構成図
【図２】同レンジフードの連通路近傍の側断面図
【図３】本発明の実施の形態２のレンジフードの側断面を示す構成図
【図４】同レンジフードの連通路近傍の側断面図
【図５】同レンジフードの側空間カバー近傍の拡大図
【図６】本発明の実施の形態３のレンジフードの側断面を示す構成図
【図７】従来の能動消音装置を示す断面図
【発明を実施するための形態】
【００１６】
本発明の請求項１記載のレンジフードは、加熱調理器の上方に設置され、屋外に連通した吐出口と、調理時に発生する油煙を含んだ空気を吸い込む吸込口とを有するフードと、前記フード内に前記吐出口と前記吸込口とを結ぶ風路内の空気を屋外に排気する換気用ファンとモータと、マイクロホンとスピーカから構成される能動消音装置を備えたレンジフードにおいて、マイクロホンとスピーカのいずれか、もしくは両方を設置するための風路に接続された側空間を少なくとも一つ設け、側空間には側空間と風路とを仕切るための複数の細孔を有する側空間カバーを備え、側空間カバーを温める加熱手段を設けたものである。
【００１７】
これにより、マイクロホンやスピーカを側空間内に備えているので通風路内を流れる高温高湿の油煙を含んだ気流の影響をマイクロホンやスピーカが直接受けることを避けることができる。
【００１８】
また、側空間カバー近傍の温度を上昇させることで、側空間カバーに油煙として付着した油の滴下を促進し、油が凝固する量を低減したり、凝固そのものを抑えたりすることで、側空間カバーの細孔の目詰まりを防止し、メンテナンス間隔を長くするとともに能動型消音装置の消音効果の低下を抑制できる。
【００１９】
また、加熱調理器を照らすための照明部をフード下面に備え、照明部は光源を光源収納空間に収めた構成であって、側空間と光源収納空間とに連通口をそれぞれ設け、側空間と光源収納空間とを接続する連通路を備え、照明部および光源収納空間および連通路を側空間カバーを温める加熱手段としたものであり、光源の熱を連通路を介して側空間に移送し、側空間カバーの温度を上昇させることで、光源の余熱を利用することが出来、照明を搭載するレンジフードにおいて、省エネかつ省部品でメンテナンス作業を低減するとともに能動型消音装置の消音効果の低下を抑制できる。
【００２０】
また、加熱調理器を照らすための照明部をフード下面に備え、照明部は光源を光源収納空間に収めた構成であって、通風路壁面の側空間カバー近傍と光源収納空間とに連通口をそれぞれ設け、側空間と光源収納空間とを接続する連通路を備え、照明部および光源収納空間および連通路を、側空間カバーを温める加熱手段としたものであり、光源の熱を連通路を介して側空間カバー近傍に移送し、側空間カバーの温度を上昇させることで、光源の余熱を利用することが出来、照明を搭載するレンジフードにおいて、省エネかつ省部品でメンテナンス間隔を長くするとともに能動型消音装置の消音効果の低下を抑制できる。
【００２１】
また、連通路が光源収納部を始点として連通口までの全域で水平もしくは上り勾配であることにより、光源からの高温空気のもつ上昇する性質を利用して、熱移送の効果を上げて側空間カバーまで導くことができるので、消音効果の低下抑制効果を向上することが出来る。
【００２２】
また、連通路が光源収納部を始点として連通口近傍までの領域で水平もしくは上り勾配とし、連通口近傍を下り勾配とすることにより、光源からの高温空気のもつ上昇する性質を利用して、連通路内における熱移送の効果を上げることができるとともに、流れた油滴が連通路内に侵入することを防ぐことができるので、消音効果の低下抑制効果を向上することが出来る。
【００２３】
また、使用者がレンジフードの排気運転停止操作を行った後、自動的に側空間カバーの周辺を加熱している状態とし、一定時間経過後に自動的に加熱を停止する自動停止方式を備えたことで、油煙として付着した油を滴下させることができるので、メンテナンス作業を低減するとともに能動型消音装置の消音効果の低下を抑制できる。
【００２４】
（実施の形態１）
以下、本発明の実施の形態について、図１、図２を参照しながら説明する。
【００２５】
図１のレンジフード側断面図に示すように、本実施の形態のレンジフード１は、屋外に連通した吐出口２と、調理時に発生する油煙を含んだ空気を吸い込む吸込口３とを有するフード４と、吐出口２と吸込口３とを結ぶフード４内の風路６内に空気を屋外に排気する排気用ファン７と、排気用ファン７を駆動するモータ８と、風路６内の吸込口３近傍に設置して吸い込んだ空気から油塵を除去するフィルタ５を備えたものである。
【００２６】
そして、レンジフード１に付設する能動型消音装置１１は、風路６内を伝播する騒音を検出するマイクロホン９と、マイクロホン９によって検出された騒音とは逆位相の音を風路６内に放出して消音するスピーカ１０と、これらを接続してコントロールする演算制御器（図示せず）から構成されている。
【００２７】
そして、風路６に接続するマイクロホン側空間１９内部にマイクロホン９を備え、マイクロホン側空間１９にはマイクロホン側空間１９と風路６を仕切るためのマイクロホン側空間カバー２０を設けている。
【００２８】
風路６に接続するスピーカ側空間２１内部にはスピーカ１０を備え、スピーカ側空間２１にはスピーカ側空間２１と風路６を仕切るためのスピーカ側空間カバー２２を設けている。
【００２９】
ここで、マイクロホン側空間カバー２０とスピーカ側空間カバー２２とは取り外し可能とし、マイクロホン９よりも小さな複数の細孔２３を有した構成となっている。
【００３０】
また、フード４の下面には、加熱調理器周辺を照らす照明部１２を備え、照明部１２は白熱球もしくは蛍光灯の光源１３を光源収納空間１４に収めたものである。
【００３１】
光源収納空間１４の上面に開口した光源側マイクロホン連通口２５から上方に向かう通路と、マイクロホン側空間１９の側壁面に開口したマイクロホン連通口１５から水平に向かう通路を連通したマイクロホン連通路１６と、光源収納空間１４の上面に開口した光源側スピーカ連通口２６から上方に向かう通路と、スピーカ側空間２１の側壁面に開口したスピーカ連通口１７から水平に向かう通路を連通したスピーカ連通路１８を有している。
【００３２】
光源１３からの熱がマイクロホン連通口１５とスピーカ連通口１７に伝わることでマイクロホン側空間カバー２０およびスピーカ側空間カバー２２周辺を温める加熱手段となっている。
【００３３】
また、レンジフード１は、使用者がレンジフード１の排気運転停止操作を行った後に、例えば５分程度の一定時間、光源１３が点灯した状態となって、この間、マイクロホン側空間カバー２０およびスピーカ側空間カバー２２を温め続けた状態になり、その後自動的に光源１３が消灯される自動停止方式を備えている。
【００３４】
上記構成により、吸込口３から吸い込まれた排気風は風路６内を、フィルタ５、排気用ファン７の順で通過した後、吐出口２からフード外へと排気され、能動型消音装置１１を備えているために、送風に伴うファン騒音は低減されて居室につながる吸込口３から放射されることとなる。
【００３５】
吸込口３からの空気は高温高湿の油煙を含んだ気流となり、大部分はフィルタ５で捕集されるが、油煙などの微量な一部はフィルタ５を通過し風路６内に進入する。ここでマイクロホン９はマイクロホン側空間１９とマイクロホン側空間カバー２０で覆われており、スピーカ１０はスピーカ側空間２１とスピーカ側空間カバー２２で覆われているので、油煙の進入を構造的に抑制しながら、細孔２３により音は通過させるので、マイクロホン９、スピーカ１０に対する油煙の付着を抑えることができ、消音効果が低下することを抑制することができる。また、カバーを取り外してメンテできるようにすることで、能動型消音装置の消音効果の低下をさらに抑制できる。
【００３６】
ここで、マイクロホン連通路１６と、スピーカ連通路１８の近傍の側断面図である図２を用いて油煙付着による側空間カバーの細孔２３の目詰まりを低減する作用・効果を説明する。
【００３７】
図２に示すように、光源１３を点灯すると光源１３の発熱により、光源収納空間１４が熱い空気で満たされることとなる。この熱がマイクロホン連通路１６を通って、マイクロホン連通口１５からマイクロホン側空間１９を介して熱が伝達されることでマイクロホン側空間カバー２０近傍を温める。同様に、スピーカ連通路１８を通った熱が、スピーカ連通口１７からスピーカ側空間２１を介して熱が伝達されることでスピーカ側空間カバー２２近傍を温める。
【００３８】
これにより、排気風で運ばれて風路６内のマイクロホン側空間カバー２０およびスピーカ側空間カバー２２に付着した油が温まり、油が滴下しやすくなるので、マイクロホン側空間カバー２０およびスピーカ側空間カバー２２の細孔２３に油が凝固して細孔２３が目詰まりするのを抑制することができ、メンテナンス作業を低減するとともに能動型消音装置１１の消音効果の低下を抑制できる。
【００３９】
また、マイクロホン連通口１５が、光源収納空間１４を始点としてマイクロホン連通口１５までの全域で上昇気流を妨げる下り勾配をもたず、スピーカ連通口１７が、光源収納空間１４を始点としてスピーカ連通口１７までの全域で上昇気流を妨げる下り勾配をもたないことから、熱移送の効果を低下させないため、消音効果の低下抑制効果を向上することが出来る。
【００４０】
なお、上昇する熱移送の効果を低下させないために、光源側マイクロホン連通口２５および光源側スピーカ連通口２６は光源収納空間１４の上面に配置し、マイクロホン連通口１５はマイクロホン側空間１９の上面以外の壁面に設け、スピーカ連通口１７はスピーカ側空間２１の上面以外の壁面に設けることが好ましい。
【００４１】
また、自動停止方式により、加熱による防油効果を排気運転停止操作後にも行うことで、油煙として付着した油を完全に滴下させることができるので、メンテナンス作業を低減するとともに能動型消音装置の消音効果の低下を抑制できる。なお、マイクロホン側空間カバー２０およびスピーカ側空間カバー２２への熱移送を促進させるため、排気運転停止操作後も一定時間ファン・モータの残置運転を行うことが好ましい。
【００４２】
なお、実施の形態１では、マイクロホン９とスピーカ１０間に制御演算に必要とされる距離を十分にとるため、マイクロホン９とスピーカ１０の両方に対応する側空間、側空間カバーおよび連通路を設けているが、側空間や連通路の取り回しが困難な場合等は、マイクロホン９とスピーカ１０を一つの側空間に収納しても良い。
【００４３】
（実施の形態２）
実施の形態２において、実施の形態１と同様の構成要素については同一の符号を付し、その詳細な説明は省略し、図３、図４、図５を参照しながら説明する。
【００４４】
図３のレンジフード側断面図に示すように、本実施の形態２のレンジフード１は、照明部１２の光源収納空間１４から上方に向かう通路と、マイクロホン側空間カバー２０の下端近傍に設け風路６に開口したマイクロホン連通口１５周辺に下り勾配領域を有する水平な通路を連通したマイクロホン連通路１６と、光源収納空間１４から上方に向かう通路と、スピーカ側空間カバー２２の下端近傍に設け風路６に開口したスピーカ連通口１７に下り勾配領域を有する水平な通路を連通したスピーカ連通路１８を有しており、光源１３からの熱が連通口に伝わることでマイクロホン側空間カバー２０、スピーカ側空間カバー２２の周辺を温める加熱手段となっている。
【００４５】
上記構成により、マイクロホン連通路１６と、スピーカ連通路１８の近傍の側断面図である図４に示すように、光源１３を点灯すると光源１３の発熱により、光源収納空間１４が熱い空気で満たされることとなる。この熱がマイクロホン連通路１６とスピーカ連通路１８を通って、マイクロホン連通口１５とスピーカ連通口１７から熱が伝達されることでマイクロホン側空間カバー２０とスピーカ側空間カバー２２の近傍を温める。
【００４６】
これにより、排気風で運ばれて風路６内のマイクロホン側空間カバー２０とスピーカ側空間カバー２２に付着した油が温まり、油が滴下しやすくなるので、マイクロホン側空間カバー２０およびスピーカ側空間カバー２２の細孔２３に油が凝固して細孔２３が目詰まりするのを抑制することができ、メンテナンス作業を低減するとともに能動型消音装置１１の消音効果の低下を抑制できる。
【００４７】
また、マイクロホン連通路１６と、スピーカ連通路１８の近傍の側断面図である図４に示すように、マイクロホン連通口１５近傍のマイクロホン連通路１６を下り勾配とし、スピーカ連通口１７近傍のスピーカ連通路１８を下り勾配とすることで、マイクロホン側空間カバー２０やスピーカ側空間カバー２２に付着した油滴が温められて下方に流れ、連通路内に侵入することを防ぐ効果を奏する。
【００４８】
ここで、側空間カバー近傍の拡大図である図５に示すように、側空間カバーの下端近傍に連通口を設けることにより、連通口から風路６に流出される暖められた空気が風路６内の気流によって上昇気流となりマイクロホン側空間カバー２０とスピーカ側空間カバー２２を横切るため、更に熱移送を効率よく行うことができる。
【００４９】
なお、実施の形態２ではマイクロホン側空間カバー２０とスピーカ側空間カバー２２の両方に対応する連通口および連通路を設けているが、連通路の取り回しが困難な場合は、マイクロホン側空間カバー２０下端近傍を連通口とする連通路を省略しても良い。
【００５０】
（実施の形態３）
実施の形態３において、実施の形態１，２と同様の構成要素については同一の符号を付し、その詳細な説明は省略し、図６を参照しながら説明する。
【００５１】
図６のレンジフード側断面図に示すように、本実施の形態３のレンジフード１は、マイクロホン側空間カバー２０とスピーカ側空間カバー２２に、マイクロホン側空間カバー２０とスピーカ側空間カバー２２を温める電熱線２４を取付けている。
【００５２】
また、レンジフード１は使用者がレンジフード１の排気運転停止操作を行った後に、例えば５分程度の一定時間、電熱線２４が通電され、この間、マイクロホン側空間カバー２０とスピーカ側空間カバー２２を暖め続けた状態になり、その後自動的に電熱線２４への通電が遮断される自動停止方式を備えている。
【００５３】
上記構成により、排気風で運ばれて風路６内のマイクロホン側空間カバー２０およびスピーカ側空間カバー２２に付着した油が温まり、油が滴下しやすくなるので、マイクロホン側空間カバー２０およびスピーカ側空間カバー２２の細孔２３に油が凝固して細孔２３が目詰まりし、消音効果が低下することを防ぐことができ、メンテナンス作業を低減するとともに能動型消音装置１１の消音効果の低下を抑制できる。
【００５４】
また、自動停止方式により、加熱による防油効果を排気運転停止操作後にも行うことで、油煙として付着した油を完全に滴下させることができるので、メンテナンス作業を低減するとともに能動型消音装置の消音効果の低下を抑制できる。
【産業上の利用可能性】
【００５５】
本発明にかかるレンジフード用能動消音装置は、十分な消音効果を得るとともに、性能劣化の要因となる油からマイクロホンやスピーカを守り、長期使用可能であることから、油煙を含む環境下における換気装置に搭載する消音装置として有用である。
【符号の説明】
【００５６】
１    レンジフード
２    吐出口
３    吸込口
４    フード
５    フィルタ
６    風路
７    排気用ファン
８    モータ
９    マイクロホン
１０  スピーカ
１１  能動型消音装置
１２  照明部
１３  光源
１４  光源収納空間
１５  マイクロホン連通口
１６  マイクロホン連通路
１７  スピーカ連通口
１８  スピーカ連通路
１９  マイクロホン側空間
２０  マイクロホン側空間カバー
２１  スピーカ側空間
２２  スピーカ側空間カバー
２３  細孔
２４  電熱線
２５  光源側マイクロホン連通口
２６  光源側スピーカ連通口
【図１】
2014102060.tif 000003
【図２】
2014102060.tif 000004
【図３】
2014102060.tif 000005
【図４】
2014102060.tif 000006
【図５】
2014102060.tif 000007
【図６】
2014102060.tif 000008
【図７】
2014102060.tif 000009